(57)【要約】【課題】  組み立てが容易で然も大きな衝撃力の作用によっても、カバー部材が筐体から外れてしまうことがない携帯型電子機器を提供する。【解決手段】  本発明に係る携帯型電子機器は、第１筐体１と第２筐体２とが金属製のヒンジフレーム(50)を介して互いに開閉可能に連結され、第１筐体１には、ヒンジフレーム50が露出する開口15が開設され、該開口15にはカバー部材７が取り付けられて該開口15を閉塞している。ヒンジフレーム50とカバー部材７との間には、ヒンジフレーム50及びカバー部材７とそれぞれ係合する２つの連結片８が介在し、該連結片８とヒンジフレーム50との係合部、及び該連結片８とカバー部材７との係合部にはそれぞれ、カバー部材７を筐体１から離脱させる方向に作用する力を受け止める受け止め構造が形成されている。【選択図】      図１６
2006135717.tif 000002
【特許請求の範囲】
【請求項１】
一対の筐体(１)(２)が金属製のヒンジフレーム(50)を介して互いに開閉可能に連結され、前記一対の筐体(１)(２)の内、一方の筐体には、ヒンジフレーム(50)が露出する開口(15)が開設され、該開口(15)にはカバー部材(７)が前記一方の筐体に取り付けられて該開口(15)を閉塞している携帯型電子機器において、前記ヒンジフレーム(50)と前記カバー部材(７)との間には、ヒンジフレーム(50)及びカバー部材(７)とそれぞれ係合する少なくとも１つの連結片(８)が介在し、該連結片(８)とヒンジフレーム(50)との係合部、及び該連結片(８)とカバー部材(７)との係合部にはそれぞれ、カバー部材(７)を筐体から離脱させる方向に作用する力を受け止める受け止め構造が形成されていることを特徴とする携帯型電子機器。
【請求項２】
一対の筐体(１)(２)が金属製のヒンジフレーム(50)を介して互いに開閉可能に連結され、前記一対の筐体(１)(２)の内、一方の筐体には、ヒンジフレーム(50)が露出する開口(15)が開設され、該開口(15)にはカバー部材(７)が前記一方の筐体に取り付けられて該開口(15)を閉塞している携帯型電子機器において、前記ヒンジフレーム(50)と前記カバー部材(７)との間には、ヒンジフレーム(50)及びカバー部材(７)とそれぞれ係合する少なくとも１つの連結片(８)が介在し、カバー部材(７)が前記一方の筐体に取り付けられた状態にて、前記連結片(８)は、前記ヒンジフレーム(50)の回転軸に直交する第１方向に交叉して前記ヒンジフレーム(50)を挟持する一対のフレーム挟持面と、該一対のフレーム挟持面の内、一方のフレーム挟持面に突設され、前記ヒンジフレーム(50)の回転軸及び前記第１方向に直交する第２方向に交叉して前記ヒンジフレーム(50)に摺接するフレーム摺接面とを有し、該連結片(８)のヒンジフレーム(50)との係合部には、前記第１方向に交叉してカバー部材(７)を受け止める第１受け止め面(86)と、前記第２方向に交叉してカバー部材(７)を受け止める第２受け止め面(87)とが形成され、前記カバー部材(７)の前記連結片(８)との係合部には、前記第１方向に交叉して前記カバー部材(７)の第１受け止め面(86)に摺接する第１連結片摺接面(77)と、前記第２方向に交叉してカバー部材(７)の第２受け止め面(87)に摺接する第２連結片摺接面(78)とが形成されていることを特徴とする携帯型電子機器。
【請求項３】
前記連結片(８)は、平板状の基端部(81)と、該基端部(81)の長手方向の両端部に突設されて該基端部(81)に対して垂直に伸びる第１突片(82)及び第２突片(83)と、第１突片(82)の先端部から第２突片(83)に向けて突出するフック部(84)と、第２突片(83)が突設された基端部(81)の一方の端部から該基端部(81)に対して平行に伸びる第３突片(85)とを有し、前記カバー部材(７)は、前記開口(15)を閉塞する本体部(71)と、該本体部(71)の裏面に突設された鉤部(74)とを有して、カバー部材(７)が前記一方の筐体に取り付けられた状態にて、前記連結片(８)の第１突片(82)及び第２突片(83)が前記第１方向に交叉して前記ヒンジフレーム(50)を挟持し、前記連結片(８)のフック部(84)が前記第２方向に交叉してヒンジフレーム(50)に摺接し、前記カバー部材(７)の鉤部(74)が、前記第２方向に交叉して前記連結片(８)の第３突片(85)に摺接すると共に、前記第１方向に交叉して前記連結片(８)の第２突片(83)に摺接する請求項２に記載の携帯型電子機器。
【請求項４】
前記連結片(８)の一対のフレーム挟持面は、前記第１突片(82)及び第２突片(83)の対向面から構成され、前記連結片(８)のフレーム摺接面は、前記フック部(84)のヒンジフレーム(50)との対向面から構成され、前記連結片(８)の第１受け止め面(86)及び前記カバー部材(７)の第１連結片摺接面(77)は、前記連結片(８)の第２突片(83)と前記カバー部材(７)の鉤部(74)との対向面から構成され、前記連結片(８)の第２受け止め面(87)及び前記カバー部材(７)の第２連結片摺接面(78)は、前記連結片(８)の第３突片(85)と前記カバー部材(７)の鉤部(74)との対向面から構成される請求項２または請求項３に記載の携帯型電子機器。
【請求項５】
前記カバー部材(７)の本体部(１)には、前記ヒンジフレーム(50)の回転軸方向に交叉して前記連結片(８)を挟持する一対の連結片挟持面が形成されている請求項２乃至請求項４の何れかに記載の携帯型電子機器。
【発明の詳細な説明】
【技術分野】
【０００１】
本発明は、折り畳み式携帯電話機、ノート型パーソナルコンピュータ等の折り畳み式の携帯型電子機器に関するものである。
【背景技術】
【０００２】
従来、折り畳み式携帯電話機においては、操作キーを具えた第１筐体と液晶ディスプレイを具えた第２筐体とが、ヒンジ機構を介して互いに開閉可能に連結されている(特許文献１参照)。
【０００３】
この種の折り畳み式携帯電話機においては、前記ヒンジ機構を金属製のヒンジフレームで構成したものが知られており、前記第１筐体の基端部には、ヒンジフレームが露出する開口が開設されると共に、該開口を閉塞するカバー部材が取り付けられ、該カバー部材と前記第１筐体との間には、係脱可能な係合構造が形成されている。
【特許文献１】特開平１１−４１３２８号公報  [H04M 1/02]
【発明の開示】
【発明が解決しようとする課題】
【０００４】
しかしながら、上記従来の折り畳み式携帯電話機においては、例えば第１筐体と第２筐体を開いた状態で誤って床面に落下させた場合、第１及び第２筐体に開き方向の大きな衝撃力が加わって、第１筐体に許容限度以上の拡開力が作用すると、カバー部材に撓みが生じ、これによって第１筐体との係合が外れて、カバー部材が第１筐体から離脱してしまうことがあった。
この問題を解決するためには、カバー部材を第１筐体にビス止めすればよいが、この場合、組み立てが煩雑となる。
そこで、本発明の目的は、組み立てが容易で然も大きな衝撃力の作用によっても、カバー部材が筐体から離脱してしまうことのない携帯型電子機器を提供することである。
【課題を解決するための手段】
【０００５】
本発明に係る携帯型電子機器は、一対の筐体(１)(２)が金属製のヒンジフレーム(50)を介して互いに開閉可能に連結され、前記一対の筐体(１)(２)の内、一方の筐体には、ヒンジフレーム(50)が露出する開口(15)が開設され、該開口(15)にはカバー部材(７)が前記一方の筐体に取り付けられて該開口(15)を閉塞している。
前記ヒンジフレーム(50)と前記カバー部材(７)との間には、ヒンジフレーム(50)及びカバー部材(７)とそれぞれ係合する少なくとも１つの連結片(８)が介在し、該連結片(８)とヒンジフレーム(50)との係合部、及び該連結片(８)とカバー部材(７)との係合部にはそれぞれ、カバー部材(７)を筐体から離脱させる方向に作用する力を受け止める受け止め構造が形成されている。
【０００６】
上記本発明の携帯型電子機器において、例えば落下などによって、カバー部材(７)を筐体から離脱させる方向に、該カバー部材(７)に大きな衝撃力が作用すると、該衝撃力は、カバー部材(７)と連結片(８)との係合部に形成された受け止め構造に受け止められて、該受け止め構造を介して連結片(８)に伝達される。更にその衝撃力は、連結片(８)とヒンジフレーム(50)との係合部に形成された受け止め構造に受け止められて、該受け止め構造を介してヒンジフレーム(50)に伝達されることになる。ヒンジフレーム(50)は金属製であり、高い剛性を有しているので、該衝撃力に対して大きな抗力を発揮する。従って、カバー部材(７)及び連結片(８)が、ヒンジフレーム(50)から離脱することはない。このため、カバー部材(７)を筐体にビス止めする必要がなく、組み立ては容易である。
【０００７】
具体的には、カバー部材(７)が前記一方の筐体に取り付けられた状態にて、前記連結片(８)は、前記ヒンジフレーム(50)の回転軸に直交する第１方向に交叉して前記ヒンジフレーム(50)を挟持する一対のフレーム挟持面と、該一対のフレーム挟持面の内、一方のフレーム挟持面に突設され、前記ヒンジフレーム(50)の回転軸及び前記第１方向に直交する第２方向に交叉して前記ヒンジフレーム(50)に摺接するフレーム摺接面とを有している。
連結片(８)のヒンジフレーム(50)との係合部には、前記第１方向に交叉してカバー部材(７)を受け止める第１受け止め面(86)と、前記第２方向に交叉してカバー部材(７)を受け止める第２受け止め面(87)とが形成され、前記カバー部材(７)の前記連結片(８)との係合部には、前記第１方向に交叉して連結片(８)の第１受け止め面(86)に摺接する第１連結片摺接面(77)と、前記第２方向に交叉してカバー部材(７)の第２受け止め面(87)に摺接する第２連結片摺接面(78)とが形成されている。
【０００８】
上記本発明の携帯型電子機器において、例えば前記一対の筐体を開いた状態で誤って床面に落下させることにより、一対の筐体に開き方向の大きな衝撃力が加わって、前記一方の筐体が許容限度以上に開かれた場合、カバー部材(７)には、ヒンジフレーム(50)の回転軸に直交する２軸方向の力が作用することになる。
【０００９】
カバー部材(７)にヒンジフレーム(50)の回転軸に直交する第１方向の力が加わると、カバー部材(７)が、連結片(８)の第１受け止め面(86)によって受け止められて、前記第１方向の力は、該第１受け止め面(86)を介して連結片(８)に伝達される。更に、連結片(８)の一対のフレーム挟持面の内、一方のフレーム挟持面がヒンジフレーム(50)に受け止められて、前記第１方向の力は、連結片(８)を介してヒンジフレーム(50)に伝達されることになる。ヒンジフレーム(50)は金属製であり、高い剛性を有しているので、該第１方向の力に対して大きな抗力を発揮する。従って、第１方向の力によって、カバー部材(７)及び連結片(８)が、ヒンジフレーム(50)から離脱することはない。
【００１０】
又、カバー部材(７)にヒンジフレーム(50)の回転軸及び前記第１方向に直交する第２方向の力が加わると、カバー部材(７)が、連結片(８)の第２受け止め面(87)によって受け止められて、前記第２方向の力は、該第２受け止め面(87)を介して連結片(８)に伝達される。更に、連結片(８)のフレーム摺接面が前記ヒンジフレーム(50)によって受け止められて、前記第２方向の力は、連結片(８)を介してヒンジフレーム(50)に伝達されることになる。
上述の如く、ヒンジフレーム(50)は、第２方向の力に対しても大きな抗力を発揮するので、第１方向及び第２方向の力の合力からなる任意方向の力がカバー部材(７)に加わったとしても、カバー部材(７)及び連結片(８)が、ヒンジフレーム(50)から離脱することはない。
このため、カバー部材(７)を筐体にビス止めする必要がなく、組み立ては容易である。
【００１１】
具体的構成において、前記連結片(８)は、平板状の基端部(81)と、該基端部(81)の長手方向の両端部に突設されて該基端部(81)に対して垂直に伸びる第１突片(82)及び第２突片(83)と、第１突片(82)の先端部から第２突片(83)に向けて突出するフック部(84)と、第２突片(83)が突設された基端部(81)の一方の端部から該基端部(81)に対して平行に伸びる第３突片(85)とを有し、前記カバー部材(７)は、前記開口(15)を閉塞する本体部(71)と、該本体部(71)の裏面に突設された鉤部(74)とを有している。
カバー部材(７)が前記一方の筐体に取り付けられた状態にて、前記連結片(８)の第１突片(82)及び第２突片(83)が前記第１方向に交叉して前記ヒンジフレーム(50)を挟持し、前記連結片(８)のフック部(84)が前記第２方向に交叉してヒンジフレーム(50)に摺接し、前記カバー部材(７)の鉤部(74)が、前記第２方向に交叉して前記連結片(８)の第３突片(85)に摺接すると共に、前記第１方向に交叉して前記連結片(８)の第２突片(83)に摺接する。
【００１２】
該具体的構成によれば、カバー部材(７)にヒンジフレーム(50)の回転軸に直交する第１方向の力が加わると、カバー部材(７)の鉤部(74)が連結片(８)の第２突片(83)に受け止められて、前記第１方向の力は、連結片(８)の第２突片(83)を介して連結片(８)に伝達される。更に、連結片(８)の第２突片(83)がヒンジフレーム(50)によって受け止められて、前記第１方向の力は、連結片(８)を介してヒンジフレーム(50)に伝達されることになる。
又、カバー部材(７)に第２方向の力が加わると、カバー部材(７)の鉤部(74)が連結片(８)の第３突片(85)に受け止められて、前記第２方向の力は、連結片(８)の第３突片(85)を介して連結片(８)に伝達される。更に、連結片(８)のフック部(84)が前記ヒンジフレーム(50)によって受け止められて、前記第２方向の力は、連結片(８)からヒンジフレーム(50)に伝達されることになる。
【００１３】
又、前記連結片(８)の一対のフレーム挟持面は、前記第１突片(82)及び第２突片(83)の対向面から構成され、前記連結片(８)のフレーム摺接面は、前記フック部(84)のヒンジフレーム(50)との対向面から構成され、前記連結片(８)の第１受け止め面(86)及び前記カバー部材(７)の第１連結片摺接面(77)は、前記連結片(８)の第２突片(83)と前記カバー部材(７)の鉤部(74)との対向面から構成され、前記連結片(８)の第２受け止め面(87)及び前記カバー部材(７)の第２連結片摺接面(78)は、前記連結片(８)の第３突片(85)と前記カバー部材(７)の鉤部(74)との対向面から構成される。
【００１４】
更に、具体的構成において、前記カバー部材(７)の本体部(１)には、前記ヒンジフレーム(50)の回転軸方向に交叉して前記連結片(８)を挟持する一対の連結片挟持面が形成されている。
該具体的構成によれば、前記連結片(８)は、カバー部材(７)の本体部(１)に形成された一対の連結片挟持面に挟持されるので、連結片(８)は、カバー部材(７)に対して前記ヒンジフレーム(50)の回転軸方向の所定位置に拘束されることになる。この結果、連結片(８)は、カバー部材(７)と係合した状態に確実に保持されることになる。
【発明の効果】
【００１５】
本発明の携帯型電子機器によれば、組み立てが容易で、然も大きな衝撃力の作用によってもカバー部材が筐体から外れてしまうことがない。
【発明を実施するための最良の形態】
【００１６】
以下、本発明を折り畳み式携帯電話機に実施した形態につき、図面に沿って具体的に説明する。
本発明に係る折り畳み式携帯電話機は、図１及び図２に示す如く、複数の操作キー(11)が配備された第１筐体(１)と、表面ディスプレイ(31)及び背面ディスプレイ(32)が配備された第２筐体(２)とを具え、第１筐体(１)の基端部と第２筐体(２)の基端部の間にはヒンジ機構(５)が配備され、該ヒンジ機構(５)によって、両筐体(１)(２)が互いに開閉可能に連結されている。
【００１７】
図３に示す如く、第２筐体(２)は、表面ディスプレイ(31)及び背面ディスプレイ(図示省略)が配備されたＬＣＤアセンブリ(３)と、ＬＣＤアセンブリ(３)の表面を覆う表面カバー(21)と、ＬＣＤアセンブリ(３)の背面を覆う背面カバー(22)とから構成される。
ヒンジ機構(５)は、金属製のヒンジフレーム(50)によって構成されており、ヒンジフレーム(50)の一端が第１筐体(１)に連結されると共に、ヒンジフレーム(50)の他端には一対の支持アーム(52)(52)を有し、該一対の支持アーム(52)(52)が、後述する一対のＵ字状連結部材(６)(６)を介して、ＬＣＤアセンブリ(３)の両端部に連結されている。
【００１８】
図４(ａ)は、ヒンジフレーム(50)、一対のＵ字状連結部材(６)(６)及びＬＣＤアセンブリ(３)の連結前の状態を示しており、図４(ｂ)は、連結後の状態を示している。図４(ａ)に示す如く、ヒンジフレーム(50)は、一対の支持アーム(52)(52)と、該一対の支持アーム(52)(52)を回動可能に支持する支持部(51)とを具えている。支持部(51)には、一対の枢軸(53)(53)と、両枢軸(53)(53)の間を連繋するブリッジ部(59)と、一対のネジ孔(54)(54)とが配備され、前記第１筐体(１)の背面から上方に向けて２本のビス(図示省略)がねじ込まれ、両ビスが一対のネジ孔(54)(54)を貫通し、その先端部が前記第１筐体(１)の表面に螺合している。これによって、ヒンジフレーム(50)の支持部(51)は、第１筐体(１)に連結されている。
ヒンジフレーム(50)の各支持アーム(52)の先端部はＵ字状を呈し、Ｕ字状に屈曲した内周面には、支持アーム(52)の長手方向に沿って伸びて互いに対向する一対の連結部材挟持面(55)(55)が形成されている。更に、各支持アーム(52)の一方の先端部には、他方の先端部に向けて突出する鉤部(56)が形成されている。
【００１９】
ＬＣＤアセンブリ(３)は、表面ディスプレイ(31)(図２参照)と、背面ディスプレイ(32)と、両ディスプレイ(31)(32)及び両ディスプレイ(31)(32)を駆動するための回路基板(33)を保持する金属製のホルダ(４)とを具え、該ホルダ(４)の両端部には、ヒンジフレーム(50)の一対の支持アーム(52)(52)にそれぞれ連結される連結部(41)(41)が突設されている。
【００２０】
ホルダ(４)の各連結部(41)とヒンジフレーム(50)の各支持アーム(52)に形成された一対の連結部材挟持面(55)(55)との間には、合成樹脂製のＵ字状連結部材(６)が取り付けられ、一対のＵ字状連結部材(６)(６)によって、ヒンジフレーム(50)の一対の支持アームとホルダ(４)の両端部に突設された一対の連結部(41)(41)とが互いに連結されている。
これによって、前記第１筐体(１)と前記第２筐体(２)とが、ヒンジフレーム(50)を介して、該ヒンジフレーム(50)の一対の枢軸(53)(53)を中心に回動可能に連結されることになる。
【００２１】
図５及び図６に示す如く、Ｕ字状連結部材(６)は、Ｕ字状に屈曲する外周面(61)及び内周面(62)を有し、該内周面(62)には、前記ホルダ(４)の連結部(41)に摺接して該連結部(41)を挟持する一対のホルダ挟持面(67)(67)が形成され、外周面(61)には、前記ヒンジフレーム(50)の支持アーム(52)に形成された一対の連結部材挟持面(55)(55)にそれぞれ摺接する一対のアーム摺接面(66)(66)が形成されている。更に、Ｕ字状連結部材(６)の外周面(61)には、該外周面(61)の両側縁から垂直にフランジ部(63)が突設されている。Ｕ字状連結部材(６)の一方の先端部には、他方の先端部に向けてフック部(64)が突設され、他方の先端部には、該フック部(64)の突出方向と同方向に屈曲する屈曲部(65)が形成されている。
【００２２】
図７乃至図１０に示す如く、ホルダ(４)の端部に突設された連結部(41)は、その表面及び裏面に、前記Ｕ字状連結部材(６)の内周面(62)に形成された一対のホルダ挟持面(67)(67)にそれぞれ摺接する一対の連結部材摺接面(42)(42)と、表面側の連結部材摺接面(42)に突設され、前記Ｕ字状連結部材(６)のフランジ部(63)の両外側面にそれぞれ対向する一対の上壁部(43)(43)と、裏面側の連結部材摺接面(42)に凹設されて前記Ｕ字状連結部材(６)の一方の先端部に突設されたフック部(64)が嵌まる凹部(47)と、裏面側の連結部材摺接面(42)の外側縁に突設されて前記Ｕ字状連結部材(６)のフランジ部(63)の外側面に対向する下壁部(46)とを有している。
【００２３】
図１１乃至図１５は、ヒンジフレーム(50)、一対のＵ字状連結部材(６)(６)及びＬＣＤアセンブリ(３)の連結状態を示しており、図１２及び図１３に示す如く、ホルダ(４)の連結部(41)の裏面に凹設された凹部(47)には、ヒンジフレーム(50)の支持アーム(52)の長手方向に交叉する方向に拡がる第１抜け止め面(48)が形成され、支持アーム(52)の一方の先端に形成された鉤部(56)には、ホルダ(４)の凹部(47)に形成された第１抜け止め面(48)との間に、Ｕ字状連結部材(６)のフック部(64)を支持アーム(52)の長手方向に沿って挟み込む第２抜け止め面(57)が形成されている。一方、Ｕ字状連結部材(６)のフック部(64)には、ホルダ(４)の凹部(47)に形成された第１抜け止め面(48)に対向してホルダ(４)を受け止めるホルダ受け止め面(68)と、支持アーム(52)の鉤部(56)に形成された第２抜け止め面(57)と対向して支持アーム(52)を受け止めるアーム受け止め面(69)とが形成されている。
更に、ヒンジフレーム(50)の支持アーム(52)の一対の連結部材挟持面(55)(55)の内、ホルダ(４)の連結部(41)の裏面に対向する一方の連結部材挟持面(55)には、
Ｕ字状連結部材(６)が連結された支持アーム(52)をホルダ(４)の連結部(41)に連結する際、Ｕ字状連結部材(６)の先端に形成したフック部(64)がホルダ(４)の連結部(41)の裏面側の連結部材摺接面(42)に当接することによるＵ字状連結部材(６)の弾性変形を許容する逃げ部(58)が凹設されている。
【００２４】
Ｕ字状連結部材(６)は、その内周面(62)に形成した一対のホルダ挟持面(67)(67)が、ホルダ(４)の連結部(41)に形成した一対の連結部材摺接面(42)(42)にそれぞれ摺接して、ホルダ(４)の連結部(41)を狭持すると共に、その外周面(61)に形成した一対のアーム摺接面(66)(66)が、ヒンジフレーム(50)の支持アーム(52)に形成した一対の連結部材挟持面(55)(55)にそれぞれ摺接して、ヒンジフレーム(50)の支持アーム(52)に狭持されている。これにより、Ｕ字状連結部材(６)は、ホルダ(４)の連結部(41)とヒンジフレーム(50)の支持アーム(52)との間に挟まれて、支持アーム(50)の長手方向に交叉する方向の弾性変形不能に拘束されるので、前記第１筐体(１)及び第２筐体(２)の開閉動作に伴って、Ｕ字状連結部材(６)に支持アーム(50)の長手方向に交叉する方向の力が作用しても、Ｕ字状連結部材(６)が弾性変形することはなく、この結果、ホルダ(４)とヒンジフレーム(50)とが、Ｕ字状連結部材(６)を介して必要な強度を維持して互いに連結されることになる。
従って、ホルダ(４)とヒンジフレーム(50)とをビス止めする必要はなく、金属製のホルダ(４)と金属製のヒンジフレーム(50)とが、合成樹脂製のＵ字状連結部材(６)を間に挟んで互いに連結されて、直接に接触することはないので、金属粉が発生することはない。
【００２５】
又、例えば、前記第１筐体(１)及び第２筐体(２)を開いた状態で誤って床面に落下させた場合、第１及び第２筐体(１)(２)に開き方向の大きな衝撃力が加わって、第２筐体(２)が許容限度以上に開かれることによって、Ｕ字状連結部材(６)にホルダ(４)の離脱方向の大きな力が作用すると、Ｕ字状連結部材(６)のフック部(64)は、ホルダ(４)の凹部(47)に形成された第１抜け止め面(48)と支持アーム(52)の鉤部(56)に形成された第２抜け止め面(57)とによって狭圧される。これにより、Ｕ字状連結部材(６)は、ホルダ(４)の離脱方向の力に対して大きな抗力を発揮する。従って、ホルダ(４)及びＵ字状連結部材(６)がヒンジフレーム(50)から離脱することはない。
【００２６】
更に、落下等により、ヒンジフレーム(50)の一対の枢軸(53)(53)に沿う方向の力がＵ字状連結部材(６)及びホルダ(４)に作用したとしても、図１４及び図１５に示す如く、Ｕ字状連結部材(６)のフランジ部(63)の互いに対向する一対の両内側面が、ヒンジフレーム(50)の支持アーム(52)の両側面にそれぞれ摺接し、該フランジ部(63)の両外側面が、ホルダ(４)の裏面側の連結部材摺接面(42)に突設した下壁部(43)とホルダ(４)の表面側の連結部材摺接面(42)に突設した上壁部(46)にそれぞれ摺接しているので、Ｕ字状連結部材(６)は、ヒンジフレーム(50)の支持アーム(52)とホルダ(４)との間に拘束されることになる。従って、ホルダ(４)及びＵ字状連結部材(６)がヒンジフレーム(50)から離脱することはない。
【００２７】
一方、図１６乃至図１８に示す如く、第１筐体(１)は、表面に操作キー(11)(図１参照)が配備された上ケース半体(12)と、上ケース半体(12)と係合する下ケース半体(13)と、上ケース半体(12)と下ケース半体(13)との間の開口(15)を閉塞するためのカバー部材(７)とから構成される。又、該開口(15)から露出したヒンジフレーム(50)の支持部(51)とカバー部材(７)との間には、ヒンジフレーム(50)とカバー部材(７)とを互いに連結するための２つの連結片(８)(８)が介在している。
下ケース半体(13)には、ＳＤカードを挿入するための開口を閉塞するＳＤカードカバー(17)が取り付けられている。
【００２８】
図１９乃至図２１に示す如く、カバー部材(７)は、前記開口(15)を閉塞する本体部(71)と、該本体部(71)に突設されて前記第１筐体(１)の上ケース半体(12)の表面に沿って伸びる上カバー部(72)とを有している。本体部(71)の前記上ケース半体(12)との係合部には、該上ケース半体(12)と係合する複数の上係合片(75)〜(75)が突設され、本体部(71)の前記下ケース半体(13)との係合部には、該下ケース半体(13)と係合する複数の下係合片(76)〜(76)が突設されている。
更に、本体部(71)の裏面には、前記一対の連結片(８)(８)とそれぞれ係合する一対の鉤部(74)(74)と、前記下ケース半体(13)の上端面に突設された一対の凹状係合部(14)(14)とそれぞれ係合する一対の爪部(73)(73)とが突設されている。
【００２９】
図２２に示す如く、各連結片(８)は、平板状の基端部(81)と、該基端部(81)に突設されて互いに平行に伸びる第１突片(82)及び第２突片(83)と、該第１突片(82)の先端部から第２突片(83)に向けて突出するフック部(84)と、第２突片(83)が突設された基端部(81)の一方の端部から該基端部(81)に沿って伸びる第３突片(85)とを有している。
【００３０】
第１筐体(１)の組み立てにおいては、先ず、図１６に示す如く、ヒンジフレーム(50)が連結された第２筐体(２)に第１筐体(１)の上ケース半体(12)を取り付けた後、該上ケース半体(12)にカバー部材(７)を取り付ける。この状態で、図１７に示す如く、ヒンジフレーム(50)の支持部(51)のブリッジ部(59)は、開口(15)から露出しており、図１８に示す如く、２つの連結片(８)(８)は、カバー部材(７)の下ケース半体(13)との係合部に突設された一対の下係合片(76)(76)の間にそれぞれ挿入され、ブリッジ部(59)を挟持してヒンジフレーム(50)に取り付けられる。このとき、各連結片(８)は、カバー部材(７)の一対の下係合片(76)の間に挟持され、ヒンジフレーム(50)の一対の枢軸(53)(53)方向の所定位置に保持される。
【００３１】
その後、下ケース半体(13)が取り付けられ、下ケース半体(13)と上ケース半体(12)とが互いに係合すると共に、下ケース半体(13)の上端面に突設された一対の凹状係合部(14)(14)が、カバー部材(７)の一対の爪部(73)(73)とそれぞれ係合して、第１筐体(１)が組み立てられることになる。
【００３２】
図２３乃至図２５は、第１筐体(１)にカバー部材(７)を取り付けた通常の使用状態を示しており、図２４に示す如く、連結片(８)の第１突片(82)及び第２突片(83)は、前記ヒンジフレーム(50)の一対の枢軸(53)(53)方向(図２４の紙面貫通方向)に直交する第１方向に交叉して基端部(81)から伸びており、該第１突片(82)及び第２突片(83)の互いに対向する一対の対向面の間にヒンジフレーム(50)のブリッジ部(59)を挟持している。
又、第１方向に交叉して形成された連結片(８)の第２突片(83)の第１受け止め面(86)と、該第１受け止め面(86)に対向して形成されたカバー部材(７)の鉤部(74)の第１連結片摺接面(77)とが互いに摺接している。
前記ヒンジフレーム(50)の一対の枢軸(53)(53)方向及び第１方向に直交する第２方向に交叉して形成された連結片(８)の第３突片(85)の第２受け止め面(87)と、該第２受け止め面(87)に対向して形成されたカバー部材(７)の鉤部(74)の第２連結片摺接面(78)とが互いに摺接している。
又、第２方向に交叉して形成された連結片(８)のフック部(84)のフレーム摺接面(88)はヒンジフレーム(50)のブリッジ部(59)に摺接している。
【００３３】
この状態において、例えば、前記第１筐体(１)及び第２筐体(２)を開いた状態で、誤って床面に落下させることにより、第１及び第２筐体(１)(２)に開き方向の大きな衝撃力が加わって、第１筐体(１)が許容限度以上に開かれた場合、カバー部材(７)には、第１方向及び第２方向の力が加わることになる。
【００３４】
カバー部材(７)に第１方向の力Ｆ１が加わると、カバー部材(７)の鉤部(74)が連結片(８)の第２突片(83)に受け止められて、該第１方向の力Ｆ１は、連結片(８)の第２突片(83)を介して連結片(８)に伝達される。更に、連結片(８)の第２突片(83)がヒンジフレーム(50)のブリッジ部(59)によって受け止められて、該第１方向の力Ｆ１は、連結片(８)を介してヒンジフレーム(50)に伝達されることになる。ヒンジフレーム(50)は金属製であり、高い剛性を有するので、該第１方向の力Ｆ１に対して大きな抗力を発揮する。従って、カバー部材(７)が第１筐体(１)から外れることはない。
【００３５】
又、カバー部材(７)に第２方向の力Ｆ２が加わると、カバー部材(７)の鉤部(74)が連結片(８)の第３突片(85)に受け止められて、該第２方向の力Ｆ２は、連結片(８)の第３突片(85)を介して連結片(８)に伝達される。更に、連結片(８)のフック部(84)が前記ヒンジフレーム(50)のブリッジ部(59)によって受け止められて、該第２方向の力Ｆ２は、連結片(８)を介してヒンジフレーム(50)に伝達されることになる。従って、ヒンジフレーム(50)は、第２方向の力Ｆ２に対しても大きな抗力を発揮するので、第１方向の力Ｆ１と第２方向の力Ｆ２の合力からなる任意方向の力がカバー部材(７)に加わったとしても、カバー部材(７)及び連結片(８)が、ヒンジフレーム(50)から離脱することはない。
このため、カバー部材(７)を筐体にビス止めする必要がなく、組み立ては容易である。
【００３６】
更に、図２５に示す如く、カバー部材(７)は、本体部(71)の裏面に突設された爪部(73)が、下ケース半体(13)の凹状係合部(14)と互いに係合して、第１筐体(１)に取り付けられているので、カバー部材(７)は、第１筐体(１)の開口(15)を閉塞した状態に確実に保持されることになる。
【００３７】
尚、本発明の各部構成は上記実施の形態に限らず、特許請求の範囲に記載の技術的範囲内で種々の変形が可能である。例えば、上記実施形態においては、Ｕ字状連結部材(６)のフック部(64)とヒンジフレーム(50)の各支持アーム(52)の鉤部(56)とにより、Ｕ字状連結部材(６)と支持アーム(52)の互いの離脱を阻止する第１抜け止め構造を構成し、Ｕ字状連結部材(６)のフック部(64)と、前記ホルダ(４)の凹部(47)とにより、Ｕ字状連結部材(６)とホルダ(４)の互いの離脱を阻止する第２抜け止め構造を構成したが、これに限るものではなく、第１及び第２の抜け止め構造を他の周知の抜け止め構造から構成することも可能である。
又、ヒンジフレーム(50)及びカバー部材(７)とそれぞれ係合する連結片(８)の形状は、本実施例の形状に限るものではなく、ヒンジフレーム(50)との係合部、及びカバー部材(７)との係合部にそれぞれ、カバー部材(７)を筐体から離脱させる方向に作用する力を受け止める受け止め構造を具えた他の形状を採用することも可能である。
【図面の簡単な説明】
【００３８】
【図１】本発明に係る折り畳み式携帯電話機の開いた状態を示す斜視図である。
【図２】該折り畳み式携帯電話機の閉じた状態を示す斜視図である。
【図３】第２筐体とヒンジフレームとの連結構造を示す分解斜視図である。
【図４】ヒンジフレーム、Ｕ字状連結部材及びＬＣＤアセンブリの連結前の状態及び連結後の状態を示す分解斜視図である。
【図５】Ｕ字状連結部材を上方から見た斜視図である。
【図６】Ｕ字状連結部材を下方から見た斜視図である。
【図７】ＬＣＤアセンブリを表面側から見た斜視図である。
【図８】図７のＡ部を拡大して示す斜視図である。
【図９】ＬＣＤアセンブリを表面側から見た斜視図である。
【図１０】図９のＢ部を拡大して示す斜視図である。
【図１１】ヒンジフレーム、Ｕ字状連結部材及びＬＣＤアセンブリの連結状態を示す平面図である。
【図１２】図１１のＸ−Ｘ線に沿う断面図である。
【図１３】図１２のＣ部を拡大して示す斜視図である。
【図１４】図１１のＹ−Ｙ線に沿う断面図である。
【図１５】図１４のＤ部を拡大して示す斜視図である。
【図１６】第１筐体を構成する上ケース半体、カバー部材及び連結片の分解斜視図である。
【図１７】上ケース半体にカバー部材を取り付けた状態を示す分解斜視図である。
【図１８】カバー部材に連結片を取り付けた状態を示す分解斜視図である。
【図１９】カバー部材の斜視図である。
【図２０】カバー部材を裏面側から見た平面図である。
【図２１】カバー部材を上方から見た平面図である。
【図２２】連結片の斜視図である。
【図２３】第１筐体を表面側から見た平面図である。
【図２４】図２３のＧ−Ｇ線に沿う断面図である。
【図２５】図２３のＨ−Ｈ線に沿う断面図である。
【符号の説明】
【００３９】
(１)  第１筐体
(14)  凹状係合部
(15)  開口
(２)  第２筐体
(３)  ＬＣＤアセンブリ
(31)  表面ディスプレイ
(32)  背面ディスプレイ
(33)  回路基板
(４)  ホルダ
(41)  連結部
(42)  連結部材摺接面
(43)  上壁部
(46)  下壁部
(47)  凹部
(48)  第１抜け止め面
(５)  ヒンジ機構
(50)  ヒンジフレーム
(51)  支持部
(52)  支持アーム
(53)  枢軸
(54)  ネジ孔
(55)  連結部材挟持面
(56)  鉤部
(57)  第２抜け止め面
(58)  逃げ部
(59)  ブリッジ部
(６)  Ｕ字状連結部材
(61)  外周面
(62)  内周面
(63)  フランジ部
(64)  フック部
(65)  屈曲部
(66)  アーム摺接面
(67)  ホルダ挟持面
(68)  ホルダ受け止め面
(69)  アーム受け止め面
(７)  カバー部材
(71)  本体部
(72)  上カバー部
(73)  爪部
(74)  鉤部
(75)  上係合片
(76)  下係合片
(77)  第１連結片摺接面
(78)  第２連結片摺接面
(８)  連結片
(82)  第１突片
(83)  第２突片
(84)  フック部
(85)  第３突片
(86)  第１受け止め面
(87)  第２受け止め面
【図１】
2006135717.tif 000003
【図２】
2006135717.tif 000004
【図３】
2006135717.tif 000005
【図４】
2006135717.tif 000006
【図５】
2006135717.tif 000007
【図６】
2006135717.tif 000008
【図７】
2006135717.tif 000009
【図８】
2006135717.tif 000010
【図９】
2006135717.tif 000011
【図１０】
2006135717.tif 000012
【図１１】
2006135717.tif 000013
【図１２】
2006135717.tif 000014
【図１３】
2006135717.tif 000015
【図１４】
2006135717.tif 000016
【図１５】
2006135717.tif 000017
【図１６】
2006135717.tif 000018
【図１７】
2006135717.tif 000019
【図１８】
2006135717.tif 000020
【図１９】
2006135717.tif 000021
【図２０】
2006135717.tif 000022
【図２１】
2006135717.tif 000023
【図２２】
2006135717.tif 000024
【図２３】
2006135717.tif 000025
【図２４】
2006135717.tif 000026
【図２５】
2006135717.tif 000027